(57)【要約】  空気調和機の室内機は、空気の清浄を行うフィルタ本体部と、一対の軸受部と、フィルタ本体部から外側方向に延在する一対の突起部とを有する空気清浄フィルタと、軸受部に取り付けられる一対の軸部と、一対の突起部を収容する一対の支持部とを有する集塵用のエアフィルタとを備え、一対の突起部は、一対の軸部の方向から一対の支持部に収容されている。
2017119076.tif 000002
【特許請求の範囲】
【請求項１】
空気の清浄を行うフィルタ本体部と、一対の軸受部と、前記フィルタ本体部から外側方向に延在する一対の突起部とを有する空気清浄フィルタと、
前記軸受部に取り付けられる一対の軸部と、前記一対の突起部を収容する一対の支持部とを有する集塵用のエアフィルタと
を備え、
前記一対の突起部は、前記一対の軸部の方向から前記一対の支持部に収容されている
空気調和機の室内機。
【請求項２】
前記空気清浄フィルタ及び前記エアフィルタを収容する筐体を備え、
前記筐体の内部に収容された前記エアフィルタは、湾曲部を有しており、
前記空気清浄フィルタは前記湾曲部に配置されている
請求項１に記載の空気調和機の室内機。
【請求項３】
前記軸部は、前記エアフィルタから離れる方向に延在する軸台部と、前記軸台部から外側方向に延在する軸とを備える
請求項１又は２に記載の空気調和機の室内機。
【発明の詳細な説明】
【技術分野】
【０００１】
本発明は、空気清浄フィルタを備える空気調和機の室内機に関する。
【背景技術】
【０００２】
空気清浄フィルタを備える空気調和機の室内機としては、例えば、エアフィルタの湾曲部に空気清浄フィルタを取り付けたものが特許文献１に開示されている。
【先行技術文献】
【特許文献】
【０００３】
【特許文献１】特開平０９−１２２４２２号公報
【発明の概要】
【発明が解決しようとする課題】
【０００４】
しかしながら、特許文献１では、空気清浄フィルタの係止ピンをエアフィルタの取付部に挿入する際に、取付部を後方に反らせて、係止ピンを取付部に挿入しやすくする必要がある。したがって、特許文献１では、空気清浄フィルタを取り付ける際の作業の容易性が確保できないという課題があった。また、特許文献１では、エアフィルタを反らせることにより、エアフィルタが変形又は破損する可能性がある。したがって、特許文献１では、空気調和機の室内機の性能の信頼性が確保できないという課題があった。【０００５】
本発明は、上述の課題を解決するためのものであり、空気清浄フィルタを取り付ける際の作業の容易性及び性能の信頼性を確保可能な空気調和機の室内機を提供することを目的とする。
【課題を解決するための手段】
【０００６】
本発明に係る空気調和機の室内機は、空気の清浄を行うフィルタ本体部と、一対の軸受部と、前記フィルタ本体部から外側方向に延在する一対の突起部とを有する空気清浄フィルタと、前記軸受部に取り付けられる一対の軸部と、前記一対の突起部を収容する一対の支持部とを有する集塵用のエアフィルタとを備え、前記一対の突起部は、前記一対の軸部の方向から前記一対の支持部に収容されている。
【発明の効果】
【０００７】
本発明によれば、空気清浄フィルタに設けられた一対の突起部は、一対の軸部の方向からエアフィルタの面に沿って一対の支持部に収容することができるため、空気清浄フィルタの取り付けにおいて、エアフィルタを反らせる必要がない。したがって、本発明によれば、空気清浄フィルタを取り付ける際の作業の容易性及び性能の信頼性を確保可能な空気調和機の室内機を提供することができる。
【図面の簡単な説明】
【０００８】
【図１】本発明の実施の形態１に係る空気調和機の室内機１の外観構成の一例を概略的に示す斜視図である。
【図２】本発明の実施の形態１に係る空気調和機の室内機１の右面視における内部構造の一例を示す概略図である。
【図３】本発明の実施の形態１に係る空気清浄フィルタ１０の構造の一例を示す斜視図である。
【図４】図３の領域Ａの拡大図である。
【図５】本発明の実施の形態１に係るエアフィルタ２０の表面の構造の一例を示す概略図である。
【図６】本発明の実施の形態１に係るエアフィルタ２０の側面の構造の一例を示す概略図である。
【図７】本発明の実施の形態１に係るエアフィルタ２０の裏面の構造の一例を示す概略図である。
【図８】本発明の実施の形態１に係るエアフィルタ２０の裏面の構造の一部を拡大して示す概略図である。
【図９】図８の領域Ｂの拡大図である。
【図１０】本発明の実施の形態１に係る空気調和機の室内機１における、空気清浄フィルタ１０のエアフィルタ２０への取付途中の態様を概略的に示す斜視図である。
【図１１】本発明の実施の形態１に係る空気調和機の室内機１における、空気清浄フィルタ１０のエアフィルタ２０への取付完了時の態様を概略的に示す斜視図である。
【図１２】本発明の実施の形態１に係る空気調和機の室内機１における、空気清浄フィルタ１０のエアフィルタ２０への取付完了時の態様を概略的に示す側面図である。
【図１３】図１２の領域Ｃの部分を分解して示した概略図である。
【図１４】本発明の実施の形態１に係る空気調和機の室内機１への、空気清浄フィルタ１０及びエアフィルタ２０の取付態様を概略的に示す側面図である。
【図１５】図１４の領域Ｄを拡大して示した概略図である。
【発明を実施するための形態】
【０００９】
実施の形態１．
本発明の実施の形態１に係る空気調和機の室内機１について説明する。図１は、本実施の形態１に係る空気調和機の室内機１の外観構成の一例を概略的に示す斜視図である。なお、図１を含む以下の図面では、各構成部材の寸法及び形状又は各構成部材相互における寸法の関係は、実際のものとは異なる場合がある。また、以下の図面では、同一の又は類似する部材又は部分には、同一の符号を付すか、又は符号を付すことを省略している。また、図１を含む以下の図面では、室内機１の各々の構成部材同士の前後、左右、若しくは上下の位置関係は、原則として、室内機１を使用可能な状態に設置したときの位置関係とする。
【００１０】
室内機１は、例えば、図１に示すように、立方体形状で横長の外郭構造を有する壁掛型の室内ユニットとして構成される。室内機１は、室内機１の外郭を構成する筐体２を有しており、筐体２の上面には、格子形状のフレームで構成された吸気グリル３が設けられている。空気調和機の室内機１は、吸気グリル３から室内空気を吸気して、室内機１の内部で熱交換された空気を、筐体２の下面に設けられた排気口４から排気するように構成されている。なお、排気口４は、図１の斜視図では図示されないため、排気口４の位置を符号と共に矢印付きの引出線で示している。
【００１１】
図２は、本実施の形態１に係る空気調和機の室内機１の右面視における内部構造の一例を示す概略図である。筐体２の内部には、送風機６、熱交換器８、空気清浄フィルタ１０、及びエアフィルタ２０が収容されている。
【００１２】
送風機６は、例えば、クロスフローファン等として構成され、室内空気を筐体２の内部に誘引し、筐体２の内部に誘引した空気を排気口４から排気する空調空気を吹き出すように配置されている。図１を含む以下の図面では図示しないが、送風機６は、例えば、樹脂等の熱可塑性樹脂で構成される羽根車と、羽根車を回転させるためのモータと、モータの回転を羽根車に伝達させる回転軸とを有している。
【００１３】
熱交換器８は、並列に配置された複数のフィンと、複数のフィンを貫通する伝熱管とを備えるフィンアンドチューブ型熱交換器として構成され、伝熱管が水平となるように筐体２の内部に配置されている。例えば、熱交換器８は、図２に示すように、送風機６の前方側に位置する第１の熱交換器８ａと、送風機６の前方上側に位置する第２の熱交換器８ｂと、送風機６の後方上側に位置する第３の熱交換器８ｃとを有する構成にできる。熱交換器８は、第１の熱交換器８ａと第２の熱交換器８ｂとの間を配管接続し、第２の熱交換器８ｂと第３の熱交換器８ｃとの間を配管接続して、側面視において、送風機６の前方又は上方を取り囲むように配置される。熱交換器８は、室内空間に冷熱を供給する冷房運転を行う場合は蒸発器として機能し、室内空間に温熱を供給する暖房運転を行う場合は、凝縮器として機能する。なお、凝縮器は「放熱器」と称され、蒸発器は「冷却器」と称される場合がある。
【００１４】
空気清浄フィルタ１０は、例えば、脱臭効果、防カビ効果、防臭効果等を発揮するフィルタカートリッジを有する構成にできる。空気清浄フィルタ１０は、定期的にフィルタカートリッジを交換することにより脱臭効果、防カビ効果、防臭効果等を維持できるように、エアフィルタ２０から着脱自在に構成されている。
【００１５】
エアフィルタ２０は、室内空気に含まれる塵埃の筐体２の内部への侵入を防ぐ集塵フィルタとして構成される。エアフィルタ２０は、筐体２と熱交換器８との間に位置する空間に、熱交換器８を覆うように配置され、熱交換器８に塵埃が付着し、熱交換器８における熱交換効率が低下するのを回避している。エアフィルタ２０は、熱交換器８を覆うように、例えば筐体２の前面部及び上面部に沿って配置され、筐体２の内部の前面上部に湾曲部３０が形成される。室内機１においては、エアフィルタ２０の湾曲部３０の熱交換器８側の面に空気清浄フィルタ１０を配置することにより、エアフィルタ２０の湾曲部３０と熱交換器８との間に形成される空間を有効活用することができる。また、空気清浄フィルタ１０における室内空気の通過面を、熱交換器８における空気の通過面と対面させることができるため、空気清浄フィルタ１０の配置による、室内機１の空力効率の低下を回避することができる。
【００１６】
室内機１では送風機６の回転駆動により、室内空気が、吸気グリル３及びエアフィルタ２０又は空気清浄フィルタ１０を介して、熱交換器８に誘引される。熱交換器８に誘引された室内空気は、熱交換器８のフィンの間を通過する。熱交換器８においては、冷房運転時においては、熱交換器８の伝熱管の内部を流れる低温低圧の二相冷媒と、フィンの間を通過する室内空気との間で熱交換が行われる。また、冷房運転時においては、熱交換器８の伝熱管の内部を流れる高温高圧のガス冷媒と、フィンの間を通過する室内空気との間で熱交換が行われる。熱交換器８で熱交換された空気は、送風機６の回転駆動により、排気口４を介して室内空間に排気され、室内空間に冷熱又は温熱が供給される。
【００１７】
次に、本実施の形態１に係る空気調和機の室内機１における、空気清浄フィルタ１０の構造を図３及び図４を用いて説明する。
【００１８】
図３は、本実施の形態１に係る空気清浄フィルタ１０の構造の一例を示す斜視図である。図４は、図３の領域Ａの拡大図である。
【００１９】
空気清浄フィルタ１０は、矩形形状の外枠１２ａと、外枠１２ａの内部を区画する複数の内枠１２ｂと、外枠１２ａと複数の内枠１２ｂとにより区画された空間に設けられたフィルタ部１２ｃとを有し、空気の清浄を行うフィルタ本体部１２を備えている。フィルタ本体部１２には、フィルタ本体部１２の外枠１２ａから外側に延在する一対の突起部１４が設けられている。一対の突起部１４は、外枠１２ａの対向する二辺に配置されている。また、フィルタ本体部１２の外枠１２ａには、Ｃ字形状の軸受１６ａと、軸受１６ａとフィルタ本体部１２とを連結する軸受台１６ｂとを有する一対の軸受部１６が設けられている。一対の軸受部１６は、一対の突起部１４が配置された外枠１２ａの対向する二辺に配置されている。
【００２０】
空気清浄フィルタ１０において、外枠１２ａ、内枠１２ｂ、突起部１４及び軸受部１６は、例えば、硬性ブラスチック等の高硬度の樹脂材料で構成される。フィルタ部１２ｃは、例えば、空気清浄フィルタ１０が脱臭効果を有するフィルタとして構成される場合、脱臭剤を含むメッシュフィルタとして構成される。
【００２１】
次に、本実施の形態１に係る空気調和機の室内機１における、エアフィルタ２０の構造を図５〜図９を用いて説明する。
【００２２】
図５は、本実施の形態１に係るエアフィルタ２０の表面の構造の一例を示す概略図である。図６は、本実施の形態１に係るエアフィルタ２０の側面の構造の一例を示す概略図である。図７は、本実施の形態１に係るエアフィルタ２０の裏面の構造の一例を示す概略図である。図８は、本実施の形態１に係るエアフィルタ２０の裏面の構造の一部を拡大して示す概略図である。図９は、図８の領域Ｂの拡大図である。なお、以下の説明における、エアフィルタ２０の「表面」及び「裏面」は、エアフィルタ２０を室内機１に取り付けた際の「表面」側及び「裏面」側に対応している。
【００２３】
図５〜図７に示すように、エアフィルタ２０は、矩形状の外枠２０ａと、外枠２０ａの内部に設けられ、外枠２０ａの内部を区画する直線形状の複数の内枠２０ｂと、外枠２０ａと複数の内枠２０ｂとにより区画された空間に設けられた複数の矩形状のフィルタ部２０ｃとを有している。外枠２０ａ及び内枠２０ｂは、例えば、軟性ブラスチック等の可撓性のある樹脂材料で構成される。フィルタ部２０ｃは、例えばメッシュフィルタとして構成される。
【００２４】
図８及び図９に示すように、エアフィルタ２０の裏面側には、空気清浄フィルタ１０の軸受１６ａに回転自在に支持される一対の軸部２２と、空気清浄フィルタ１０の突起部１４を収容する一対の支持部２４が設けられている。一対の軸部２２及び一対の支持部２４は、例えば一対の軸部２２及び一対の支持部２４に取り囲まれた領域が、エアフィルタ２０の裏面側から見て矩形形状となるように配置されている。一対の軸部２２は、エアフィルタ２０の裏面側から見て同一直線上に位置する内枠２０ｂに配置されている。一対の支持部２４は、エアフィルタ２０の裏面側から見て同一直線上に位置する内枠２０ｂに配置されている。
【００２５】
軸部２２は、エアフィルタ２０の裏面から離れる方向に延在する板状の軸台部２２ａと、軸台部２２ａの面から外側方向に延在する円柱形の軸２２ｂとを有している。
【００２６】
支持部２４は、エアフィルタ２０の軸部２２側から、エアフィルタ２０の裏面側に沿って、空気清浄フィルタ１０の突起部１４が収容されるように構成される。例えば、支持部２４は、エアフィルタ２０の裏面側から見て、エアフィルタ２０の裏面から離れる方向に延在するＬ字形状の第１の壁部２４ａと、第１の壁部２４ａの上方に連結される矩形形状の第２の壁部２４ｂとを有する構成にできる。第１の壁部２４ａによって、エアフィルタ２０の軸部２２の方向から離れる方向への空気清浄フィルタ１０の移動を制限できるとともに、空気清浄フィルタ１０の突起部１４の延在方向への空気清浄フィルタ１０の移動を制限できる。また、第２の壁部２４ｂによって、エアフィルタ２０の裏面から離れる方向への空気清浄フィルタ１０の移動を制限できる。
【００２７】
次に、本実施の形態１に係る空気調和機の室内機１における、空気清浄フィルタ１０のエアフィルタ２０への取付態様について図１０〜図１３を用いて説明する。
【００２８】
図１０は、本実施の形態１に係る空気調和機の室内機１における、空気清浄フィルタ１０のエアフィルタ２０への取付途中の態様を概略的に示す斜視図である。図１１は、本実施の形態１に係る空気調和機の室内機１における、空気清浄フィルタ１０のエアフィルタ２０への取付完了時の態様を概略的に示す斜視図である。図１２は、本実施の形態１に係る空気調和機の室内機１における、空気清浄フィルタ１０のエアフィルタ２０への取付完了時の態様を概略的に示す側面図である。図１３は、図１２の領域Ｃの部分を分解して示した概略図である。
【００２９】
図１０に示すように、空気清浄フィルタ１０の突起部１４は、エアフィルタ２０の軸部２２側から、エアフィルタ２０の裏面側に沿ってエアフィルタ２０の支持部２４に収容される。空気清浄フィルタ１０の突起部１４をエアフィルタ２０の支持部２４に収容した後、空気清浄フィルタ１０の突起部１４を中心として、図１０の白抜きのブロック矢印に示した方向に空気清浄フィルタ１０を回転させ、図１１及び図１２に示すように、空気清浄フィルタ１０の軸受１６ａにエアフィルタ２０の軸２２ｂを取り付ける。
【００３０】
図１３に示すように、エアフィルタ２０の軸部２２の直径φＡは、空気清浄フィルタ１０の軸受１６ａの開口部１６ｃの幅Ｗよりも大きく、かつ、空気清浄フィルタ１０の軸受１６ａの内径φＢよりも小さくなるように構成される。エアフィルタ２０の軸２２ｂの直径φＡを空気清浄フィルタ１０の軸受１６ａの開口部１６ｃの幅Ｗよりも大きくし、軸受１６ａをたわませてエアフィルタ２０の軸２２ｂを挿入することにより、エアフィルタ２０の軸部２２の脱離を回避できる。また、空気清浄フィルタ１０を脱離する場合も、軸受１６ａをたわませることにより容易に脱離することができる。また、エアフィルタ２０の軸２２ｂの直径φＡを空気清浄フィルタ１０の軸受１６ａの内径φＢよりも小さくすることにより、空気清浄フィルタ１０の軸受１６ａは、エアフィルタ２０の軸２２ｂを回転自在に支持することができる。
【００３１】
また、エアフィルタ２０の軸２２ｂが空気清浄フィルタ１０の軸受１６ａに取り付けられると、エアフィルタ２０の軸台部２２ａが、空気清浄フィルタ１０の軸受１６ａの内側方向への移動を制限できるため、エアフィルタ２０のたわみ等による空気清浄フィルタ１０の予期せぬ落下を防ぐことができる。
【００３２】
次に、本実施の形態１に係る空気調和機の室内機１への、空気清浄フィルタ１０及びエアフィルタ２０の取付態様について図１４及び図１５を用いて説明する。
【００３３】
図１４は、本実施の形態１に係る空気調和機の室内機１への、空気清浄フィルタ１０及びエアフィルタ２０の取付態様を概略的に示す側面図である。図１５は、図１４の領域Ｄを拡大して示した概略図である。
【００３４】
空気清浄フィルタ１０の軸受１６ａは、前述したとおり、エアフィルタ２０の軸２２ｂを回転自在に支持することができる。また、エアフィルタ２０の支持部２４に収容された空気清浄フィルタ１０の突起部１４は、前述したとおり、支持部２４の第１の壁部２４ａ及び第２の壁部２４ｂによって移動は制限されるものの、支持部２４の内部においては自在に移動可能に構成できる。空気清浄フィルタ１０を取り付けたエアフィルタ２０は、空気清浄フィルタ１０を取り付けた部分のエアフィルタ２０の表面が突出するように湾曲させて、空気調和機の室内機１に取り付けられる。エアフィルタ２０が湾曲すると、空気清浄フィルタ１０は、エアフィルタ２０と接触している空気清浄フィルタ１０の２つの対向する辺Ｅ及び軸２２ｂを支点として、エアフィルタ２０から離れる方向に移動する。また、空気清浄フィルタ１０の突起部１４は、支持部２４の第１の壁部２４ａに接触するまで、支持部２４の内部を移動し、第１の壁部２４ａに接触して固定される。したがって、本実施の形態１に係る空気調和機の室内機１では、空気清浄フィルタ１０をエアフィルタ２０の裏面に安定した状態で固定することができる。
【００３５】
以上に説明したように、本実施の形態１の空気調和機の室内機１は、空気の清浄を行うフィルタ本体部１２と、一対の軸受部１６と、フィルタ本体部１２から外側方向に延在する一対の突起部１４とを有する空気清浄フィルタ１０と、軸受部１６に取り付けられる一対の軸部２２と、一対の突起部１４を収容する一対の支持部２４とを有する集塵用のエアフィルタ２０とを備え、一対の突起部１４は、一対の軸部２２の方向から一対の支持部２４に収容されている。
【００３６】
上述の構成によれば、空気清浄フィルタ１０に設けられた一対の突起部１４は、一対の軸部２２の方向からエアフィルタ２０の面に沿って一対の支持部２４に収容することができるため、空気清浄フィルタ１０の取り付けにおいて、エアフィルタ２０を反らせる必要がない。したがって、上述の構成によれば、空気清浄フィルタ１０を取り付ける際の作業の容易性及び性能の信頼性を確保可能な空気調和機の室内機を提供できる。
【００３７】
また、本実施の形態１の空気調和機の室内機１は、空気清浄フィルタ１０及びエアフィルタ２０を収容する筐体２を備え、筐体２の内部に収容されたエアフィルタ２０は、湾曲部３０を有しており、空気清浄フィルタ１０は湾曲部３０に配置する構成にできる。上述の構成によれば、エアフィルタ２０の湾曲部３０と熱交換器８との間に形成される空間を有効活用することができる。
【００３８】
また、本実施の形態１の空気調和機の室内機１においては、軸部２２が、エアフィルタ２０から離れる方向に延在する軸台部２２ａと、軸台部２２ａから外側方向に延在する軸２２ｂとを備える構成にできる。上述の構成によれば、エアフィルタ２０の軸台部２２ａが、空気清浄フィルタ１０の軸受１６ａの内側方向への移動を制限できるため、エアフィルタ２０のたわみ等による空気清浄フィルタ１０の予期せぬ落下を防ぐことができる。
【００３９】
その他の実施の形態．
本発明は、上述の実施の形態に限らず、本発明の要旨を逸脱しない範囲において種々の変形が可能である。例えば、上述の実施の形態は、空気調和機以外の空気清浄フィルタを用いた冷凍サイクル装置、例えば、除湿器、乾燥機等にも適用可能である。
【符号の説明】
【００４０】
１  室内機、２  筐体、３  吸気グリル、４  排気口、６  送風機、８  熱交換器、８ａ  第１の熱交換器、８ｂ  第２の熱交換器、８ｃ  第３の熱交換器、１０  空気清浄フィルタ、１２  フィルタ本体部、１２ａ  外枠、１２ｂ  内枠、１２ｃ  フィルタ部、１４  突起部、１６  軸受部、１６ａ  軸受、１６ｂ  軸受台、１６ｃ  開口部、２０  エアフィルタ、２０ａ  外枠、２０ｂ  内枠、２０ｃ  フィルタ部、２２  軸部、２２ａ  軸台部、２２ｂ  軸、２４  支持部、２４ａ  第１の壁部、２４ｂ  第２の壁部、３０  湾曲部。
【図１】
2017119076.tif 000003
【図２】
2017119076.tif 000004
【図３】
2017119076.tif 000005
【図４】
2017119076.tif 000006
【図５】
2017119076.tif 000007
【図６】
2017119076.tif 000008
【図７】
2017119076.tif 000009
【図８】
2017119076.tif 000010
【図９】
2017119076.tif 000011
【図１０】
2017119076.tif 000012
【図１１】
2017119076.tif 000013
【図１２】
2017119076.tif 000014
【図１３】
2017119076.tif 000015
【図１４】
2017119076.tif 000016
【図１５】
2017119076.tif 000017
【手続補正書】
【提出日】平成30年4月18日(2018.4.18)
【手続補正１】
【補正対象書類名】明細書
【補正対象項目名】０００６
【補正方法】変更
【補正の内容】
【０００６】
本発明に係る空気調和機の室内機は、空気の清浄を行うフィルタ本体部と、Ｃ字形状の軸受をそれぞれに有する一対の軸受部と、前記フィルタ本体部から外側方向に延在する一対の突起部とを有する空気清浄フィルタと、前記Ｃ字形状の軸受に取り付けられる一対の軸部と、前記一対の突起部を収容する一対の支持部とを有する集塵用のエアフィルタとを備え、前記一対の支持部は、前記エアフィルタから離れる方向に延在するＬ字形状の第１の壁部と、前記第１の壁部に連結される矩形形状の第２の壁部とをそれぞれに有しており、前記一対の突起部は、前記一対の軸部の方向から前記一対の支持部に収容されている。
【手続補正２】
【補正対象書類名】明細書
【補正対象項目名】００３４
【補正方法】変更
【補正の内容】
【００３４】
空気清浄フィルタ１０の軸受１６ａは、前述したとおり、エアフィルタ２０の軸２２ｂを回転自在に支持することができる。また、エアフィルタ２０の支持部２４に収容された空気清浄フィルタ１０の突起部１４は、前述したとおり、支持部２４の第１の壁部２４ａ及び第２の壁部２４ｂによって移動は制限されるものの、支持部２４の内部においては自在に移動可能に構成できる。空気清浄フィルタ１０を取り付けたエアフィルタ２０は、空気清浄フィルタ１０を取り付けた部分のエアフィルタ２０の表面が突出するように湾曲させて、空気調和機の室内機１に取り付けられる。エアフィルタ２０が湾曲すると、空気清浄フィルタ１０は、エアフィルタ２０と接触している空気清浄フィルタ１０の２つの対向する辺Ｅ及び軸２２ｂを支点として、エアフィルタ２０から離れる方向に移動する。また、空気清浄フィルタ１０の突起部１４は、支持部２４の第２の壁部２４ｂに接触するまで、支持部２４の内部を移動し、第２の壁部２４ｂに接触して固定される。したがって、本実施の形態１に係る空気調和機の室内機１では、空気清浄フィルタ１０をエアフィルタ２０の裏面に安定した状態で固定することができる。
【手続補正３】
【補正対象書類名】特許請求の範囲
【補正対象項目名】請求項１
【補正方法】変更
【補正の内容】
【請求項１】
空気の清浄を行うフィルタ本体部と、Ｃ字形状の軸受をそれぞれに有する一対の軸受部と、前記フィルタ本体部から外側方向に延在する一対の突起部とを有する空気清浄フィルタと、
前記Ｃ字形状の軸受に取り付けられる一対の軸部と、前記一対の突起部を収容する一対の支持部とを有する集塵用のエアフィルタと
を備え、
前記一対の支持部は、前記エアフィルタから離れる方向に延在するＬ字形状の第１の壁部と、前記第１の壁部に連結される矩形形状の第２の壁部とをそれぞれに有しており、
前記一対の突起部は、前記一対の軸部の方向から前記一対の支持部に収容されている
空気調和機の室内機。
【手続補正４】
【補正対象書類名】図面
【補正対象項目名】図９
【補正方法】変更
【補正の内容】
【図９】
2017119076.tif 000018
【手続補正５】
【補正対象書類名】図面
【補正対象項目名】図１２
【補正方法】変更
【補正の内容】
【図１２】
2017119076.tif 000019
【手続補正６】
【補正対象書類名】図面
【補正対象項目名】図１５
【補正方法】変更
【補正の内容】
【図１５】
2017119076.tif 000020
【国際調査報告】
2017119076.tif 000021
2017119076.tif 000022